(57)【要約】【課題】構成を簡素にして小形・軽量・低廉な薬剤手撒き装置を実現する。【解決手段】予備撒きカセット３０の区画室３２を識別可能な指向性で送光を行う点灯部材４７の配設位置を、装着時の予備撒きカセット３０より上方に位置する蓋体４１等の部位から、装着時の予備撒きカセット３０より下方に位置する予備撒きカセット乗載面４６へ変更して、薬剤手撒き装置４０から従前の区画貫通孔付き手撒部を省く。また、予備撒きカセット３０には、点灯部材４７の送光を下方から上方へ通過させるとともに散乱させる通光散乱手段３３＋３４を設ける。さらに、画面表示部４２を蓋体４１に装備する。【選択図】        図１
2018191825.tif 000002
【特許請求の範囲】
【請求項１】
多数の区画室の形成されている予備撒きカセットを着脱可能であって前記予備撒きカセットを装着時に上面解放状態で乗載保持しうる枠体と、前記予備撒きカセットの区画室配置に対応した配置で多数個が前記枠体の予備撒きカセット乗載面に配設されていて何れも点灯時に前記予備撒きカセットの区画室を識別可能な指向性で送光を行う点灯部材と、手撒き処方の薬品名を表示する画面表示部と、その薬品名に係る選択を受理するとともに前記点灯部材のうち選択薬剤の手撒き範囲に属するものを点灯させる制御部とを備えている薬剤手撒き装置。
【請求項２】
多数の区画室の形成されている予備撒きカセットと、前記予備撒きカセットを着脱可能であって前記予備撒きカセットを装着時に上面解放状態で乗載保持しうる枠体と、前記予備撒きカセットの区画室配置に対応した配置で前記枠体の予備撒きカセット乗載面に多数が配設されていて何れも点灯時に前記予備撒きカセットの区画室を識別可能な指向性で送光する点灯部材と、手撒き処方の薬品名を表示する画面表示部と、その薬品名に係る選択を受理するとともに前記点灯部材のうち選択薬剤の手撒き範囲に属するものを点灯させる制御部とを備えた薬剤手撒き装置であって、前記予備撒きカセットが、前記点灯部材の送光を下方から上方へ通過させるとともに散乱させる通光散乱手段を具備していることを特徴とする薬剤手撒き装置。
【請求項３】
前記通光散乱手段が、前記予備撒きカセットを貫通する孔を備えており、前記孔の内面のうち上端部もしくは上端部を含む部分または全部が光を散乱させるようになっていることを特徴とする請求項２記載の薬剤手撒き装置。
【請求項４】
前記通光散乱手段が、前記予備撒きカセットを貫通する孔と、前記孔の上端部に付設された光散乱部材とを備えたものであることを特徴とする請求項２記載の薬剤手撒き装置。
【請求項５】
前記通光散乱手段が、前記区画室を囲む透明な又は半透明な区画室囲繞部材と、前記区画室囲繞部材の上面に付設された光散乱部材および前記区画室囲繞部材の上面に施された光散乱用加工部のうち何れか一方または双方からなる光散乱手段とを備えたものであることを特徴とする請求項２記載の薬剤手撒き装置。
【請求項６】
前記画面表示部が、前記枠体に対して揺動可能に装着されていて揺動にて前記枠体の上面を開閉する蓋体に設けられていることを特徴とする請求項１乃至請求項５の何れかに記載された薬剤手撒き装置。
【請求項７】
前記画面表示部が、前記枠体の前記予備撒きカセット乗載面より小さいものであって、前記蓋体の両面のうち閉時に中側へ来る面に装備されていることを特徴とする請求項６記載の薬剤手撒き装置。
【発明の詳細な説明】
【技術分野】
【０００１】
この発明は、自動の薬剤排出に備えて予め予備撒きカセットの多数の区画室に薬剤を人手で撒いておく薬剤手撒き装置に関する。
【背景技術】
【０００２】
薬剤手撒き装置が薬剤分包機に組み込まれる組込態様（組込形，組込式）に加えて薬剤分包機とは別に置かれる独立態様（独立形，独立式）でも実用化されている（例えば特許文献１，２参照）。何れの態様のものであれ、薬剤手撒き装置は、予備撒きカセットを筐体やカセット保持部に対して引出や挿抜などで着脱しうるようになっている。
また、予備撒きカセットには、多数の区画室（マス）が縦横に並べて形成されており、区画室は、上面が薬剤投入のため解放され、下面・底面が薬剤排出のためシャッタ等の底板で出来ていて開閉するようになっている。
【０００３】
さらに、薬剤投入は手撒きでも、薬剤排出は自動で行えるよう、薬剤分包機の筐体内には、押し込まれた予備撒きカセットの下方のところに、区画室から排出された薬剤を受け取って１室分ずつ包装機へ送り込む作動部材（コンベア）が、設けられている。
そして、予備撒きカセットの各区画室内の薬剤が作動部材の対応する各区画室に一括して移し替えられるよう、予備撒きカセットの底板は例えばシャッタレバーの一操作に応じて全区画室に亘り一括で開閉するようになっており、予備撒きカセットにはモータ等の駆動源が搭載されていない。
【０００４】
さらに、それらの薬剤手撒き装置は区画室の個数（マス数）や薬剤の名称（薬品名）を表示するようにもなっている。
マス数の表示は、手撒きすべき包装数を間違いないようにする作業者の精神的な負担を軽減するためであり、２桁のＬＥＤで区画室の個数を表示したり、縦の区画室の個数と横の区画室の個数を表示したり、区画室に一個ずつ配置したＬＥＤの発光により区画室の位置を表示したり、区画室の周囲に配置したＬＥＤの発光により表示することによって、使用する区画室の個数や位置を手撒き作業者に指示するようになっている。
【０００５】
また、独立態様の薬剤手撒き装置の具体化は（例えば特許文献１，２参照）、予備撒きカセットを上面や前面より出し入れ可能な枠体と、この枠体の上面部分に組み込まれた部材からなり又は前記枠体の上面を開閉する蓋体からなり前記予備撒きカセットの区画室配置に対応した配置で多数の薬剤投入用の区画貫通孔が貫通形成されている手撒部と、前記区画貫通孔それぞれに対応付けて前記手撒部に配設された多数の点灯部材と、手撒き処方の薬品名を表示する画面表示部と、前記点灯部材の点灯などを制御する制御部とを設けることで行われていた。
【０００６】
なお、薬品棚用の薬剤装置瓶や（例えば特許文献３参照）、薬品類収納装置（例えば特許文献４参照）でも、取扱部位の目視案内のために点灯部材を用いることが行われているが、それらの装置では、点灯部材の設置箇所が作業者の目視に適していないため、点灯部材と目視箇所との間に導光部材が設けられている。
これに対し、薬剤手撒き装置では、作業者の目視に供される手撒部に直に点灯部材が設置されていたので、導光部材は設けられていなかった。
【先行技術文献】
【特許文献】
【０００７】
【特許文献１】特開２００７−２０９６００号公報
【特許文献２】特開２００７−２９７０６６号公報
【特許文献３】特開２００４−１４８０３６号公報
【特許文献４】特開２０１３−２５５７２４号公報
【発明の概要】
【発明が解決しようとする課題】
【０００８】
このような薬剤手撒き装置のうち、薬剤分包機に組み込まれたものについては、先行して手撒きできるのは、せいぜい次回の分までであるが、薬剤分包機の外に置かれた独立態様の薬剤手撒き装置は、予備撒きカセットを取り替えることに制約が無い。そのため、そうすることで何回か先の分まで予め撒いておくことができることから、薬剤手撒き装置の稼働率や処理能力の向上に資するので、設置台数・使用台数が増えている。
【０００９】
しかしながら、従来の独立態様の薬剤手撒き装置は、視認の必要な点灯部材を手撒き作業時に最も視認しやすい枠体の上部に位置させるために、予備撒きカセットを枠体に上から出し入れするタイプでは点灯部材が蓋体に付設され（例えば特許文献１参照）、予備撒きカセットを前から出し入れするタイプでは点灯部材が枠体の上部に付設されていた（例えば特許文献２参照）。また、もう一つの視認対象である画面表示部が、枠体から分離して別体的に構成されていて、ケーブル等にて枠体と接続されるようになっていた。
【００１０】
このため、可搬性や携帯性の向上が難しく、据え置き式での使用が多く、使用態様や設置態様の自由度が十分とはいえなかった。また、従来の構造は比較的複雑であることから、部品点数も多いので、特に区画貫通孔を多数形成された手撒部は複雑なうえ厚みもあるので、小形化や軽量化さらにはコストダウンも難しかった。
そこで、薬剤手撒き装置の多数導入に資するべく、例えば薬剤分包機の稼働率向上に大きく役立つ薬剤分包機の設置台数と同等レベルかそれより多くの薬剤手撒き装置を導入するのを可能にするべく更には容易にするべく、簡素な構成の薬剤手撒き装置を実現することが技術的な課題となる。
【課題を解決するための手段】
【００１１】
本発明の薬剤手撒き装置は（解決手段１）、このような課題を解決するために創案されたものであり、
多数の区画室の形成されている予備撒きカセットを着脱可能であって前記予備撒きカセットを装着時に上面解放状態で乗載保持しうる枠体と、前記予備撒きカセットの区画室配置に対応した配置で多数個が前記枠体の予備撒きカセット乗載面に配設されていて何れも点灯時に前記予備撒きカセットの区画室を識別可能な指向性で送光を行う点灯部材と、手撒き処方の薬品名を表示する画面表示部と、その薬品名に係る選択を受理するとともに前記点灯部材のうち選択薬剤の手撒き範囲に属するものを点灯させる制御部とを備えている。
【００１２】
また、本発明の薬剤手撒き装置は（解決手段２）、上記解決手段１の各部材に加えて予備撒きカセットをも特定したものであり、
多数の区画室の形成されている予備撒きカセットと、前記予備撒きカセットを着脱可能であって前記予備撒きカセットを装着時に上面解放状態で乗載保持しうる枠体と、前記予備撒きカセットの区画室配置に対応した配置で前記枠体の予備撒きカセット乗載面に多数が配設されていて何れも点灯時に前記予備撒きカセットの区画室を識別可能な指向性で送光する点灯部材と、手撒き処方の薬品名を表示する画面表示部と、その薬品名に係る選択を受理するとともに前記点灯部材のうち選択薬剤の手撒き範囲に属するものを点灯させる制御部とを備えた薬剤手撒き装置であって、前記予備撒きカセットが、前記点灯部材の送光を下方から上方へ通過させるとともに散乱させる通光散乱手段を具備していることを特徴とする。
【００１３】
さらに、本発明の薬剤手撒き装置は（解決手段３）、上記解決手段２の薬剤手撒き装置であって、前記通光散乱手段が、前記予備撒きカセットを貫通する孔を備えており、前記孔の内面のうち上端部もしくは上端部を含む部分または全部が光を散乱させるようになっていることを特徴とする。
【００１４】
また、本発明の薬剤手撒き装置は（解決手段４）、上記解決手段２の薬剤手撒き装置であって、前記通光散乱手段が、前記予備撒きカセットを貫通する孔と、前記孔の上端部に付設された光散乱部材とを備えたものであることを特徴とする。
【００１５】
また、本発明の薬剤手撒き装置は（解決手段５）、上記解決手段２の薬剤手撒き装置であって、前記通光散乱手段が、前記区画室を囲む透明な又は半透明な区画室囲繞部材と、前記区画室囲繞部材の上面に付設された光散乱部材および前記区画室囲繞部材の上面に施された光散乱用加工部のうち何れか一方または双方からなる光散乱手段とを備えたものであることを特徴とする。
【００１６】
また、本発明の薬剤手撒き装置は（解決手段６）、上記解決手段１〜５の薬剤手撒き装置であって、前記画面表示部が、前記枠体に対して揺動可能に装着されていて揺動にて前記枠体の上面を開閉する蓋体に設けられていることを特徴とする。
【００１７】
また、本発明の薬剤手撒き装置は（解決手段７）、上記解決手段６の薬剤手撒き装置であって、前記画面表示部が、前記枠体の前記予備撒きカセット乗載面より小さいものであって、前記蓋体の両面のうち閉時に中側へ来る面に装備されていることを特徴とする。
【発明の効果】
【００１８】
このような本発明の薬剤手撒き装置にあっては（解決手段１，２）、予備撒きカセットを装着したときに予備撒きカセットより上方に位置する部位から、予備撒きカセットを装着したときに予備撒きカセットより下方に位置する部位であるカセット乗載面へ、点灯部材の配設位置を変更したことにより、従来は明確に存在していた区画貫通孔付き手撒部が省かれている。そのため、区画貫通孔の長さほど薬剤手撒き装置の高さが低くなるので、薬剤手撒き装置が薄形化・軽量化される。
【００１９】
しかも、点灯部材に指向性の高いものを採用して、その送光が予備撒きカセットの区画室を識別可能な状態で行われるようにもしたことにより、予備撒きカセットに点灯部材の送光を妨げないものを採用すれば、予備撒きカセットが手撒部としても機能するので、区画貫通孔付き手撒部が省かれても支障は無い。
したがって、この発明によれば、簡素な構成で多数導入に資する薬剤手撒き装置を実現することができる。
【００２０】
また、本発明の薬剤手撒き装置にあっては（解決手段２）、予備撒きカセットに通光散乱手段を具備して、指向性の高い点灯部材の送光が予備撒きカセットを下方から上方へ通過してから予備撒きカセットの上部で散乱するようにしたことにより、点灯部材の設置位置が予備撒きカセットの上方から予備撒きカセットの下方へ移っても、点灯時の視認性が良好に維持されることから、薬剤投入先の区画室が明瞭に分かるので、手撒き作業の遣り易さも損なわれることなく維持される。
したがって、この発明によれば、簡素な構成で作業性も良く多数導入に資する薬剤手撒き装置を実現することができる。
【００２１】
さらに、本発明の薬剤手撒き装置にあっては（解決手段３〜５）、点灯部材の設置箇所と作業者の目視箇所とが離れたので、良好な視認性の維持のために、導光部材の導入も考えられるが、両箇所が予備撒きカセットの上下で一対一対応しているうえ両箇所の離隔距離が大きくはないことに基づいて、導光部材の要らない態様で通光散乱手段を具現化して点灯部材を直視不能な所からでも点灯状態の目視確認を可能にしたことにより、簡素な構成で作業性も良く多数導入に資する薬剤手撒き装置を安価に実現することができる。
【００２２】
また、本発明の薬剤手撒き装置にあっては（解決手段６）、ケーブルで繋がれていた別体の画面表示部を枠体に直接装着させてほぼ全体を一体化するとともに、開閉式にもして、手撒き時には蓋を開けて薬剤投入先の予備撒きカセットを露出させるが、移設時など他のときには蓋を閉じて全体をコンパクトに纏めることができるようにしたことにより、可搬性や携帯性が向上する。
したがって、この発明によれば、簡素な構成で多数導入に資するうえ可搬性や携帯性にも優れる薬剤手撒き装置を実現することができる。
【００２３】
また、本発明の薬剤手撒き装置にあっては（解決手段７）、画面表示部のサイズと取付部位とに特定条件を課したことにより、蓋を開けると予備撒きカセットに加えて画面表示部も露出して視認可能になる一方、蓋を閉めると、画面表示部が、蓋体と枠体との間に収まって外部から保護されるとともに、枠体の予備撒きカセット保持空間に面して、枠体との直接的な接触が回避されるので、閉時の圧迫衝撃など枠体を介する不所望な作用からも的確に保護される。
したがって、この発明によれば、簡素な構成で多数導入に資するうえ可搬性や携帯性にも優れ而も壊れにくい薬剤手撒き装置を実現することができる。
【図面の簡単な説明】
【００２４】
【図１】本発明の実施例１について、薬剤手撒き装置の構造を示し、（ａ）が予備撒きカセットの外観斜視図、（ｂ）が開状態の薬剤手撒き装置の外観斜視図である。
【図２】（ａ）が薬剤手撒き装置に予備撒きカセットをセットしたところの外観斜視図、（ｂ）が閉状態の薬剤手撒き装置の外観斜視図である。
【図３】（ａ）が予備撒きカセットの一部の外観斜視図、（ｂ）が予備撒きカセットの断面Ａ−Ａ矢視図、（ｃ）が予備撒きカセットの板状体の断面Ａ−Ａ矢視図、（ｄ）がその要部の拡大図である。
【図４】薬剤手撒き装置の使用状態を示し、（ａ）が従来の組込形の薬剤手撒き装置を装備した薬剤分包機と本発明の携帯形の薬剤手撒き装置とを併設した薬剤分包システムの概要正面図、（ｂ）が本発明の薬剤手撒き装置を人手で運んでいるところの模式図である。
【図５】本発明の実施例２について、予備撒きカセットの板状体の要部の縦断面拡大図である。
【発明を実施するための形態】
【００２５】
このような本発明の薬剤手撒き装置について、これを実施するための具体的な形態を、以下の実施例１〜２により説明する。
図１〜図４に示した実施例１は、上述した解決手段１，２，４，６，７（出願当初の請求項１，２，４，６，７）を具現化したものであり、図５に示した実施例２は、上述した解決手段５（出願当初の請求項５）を具現化したものであり、図示しない［その他］欄の先頭の記載は、解決手段３（出願当初の請求項３）を具現化したものである。
なお、それらの図示に際しては、簡明化等のため、ボルト等の締結具や，電動モータ等の駆動源，タイミングベルト等の伝動部材，モータドライバ等の電気回路などは図示を割愛し、発明の説明に必要なものや関連するものを中心に図示した。
【実施例１】
【００２６】
本発明の薬剤手撒き装置の実施例１について、その具体的な構成を、図面を引用して説明する。
図１は、（ａ）が予備撒きカセット３０の外観斜視図、（ｂ）が蓋体４１を開けた状態の薬剤手撒き装置４０の外観斜視図である。
【００２７】
また、図２は、（ａ）が枠体４４に予備撒きカセット３０をセットした薬剤手撒き装置４０の外観斜視図、（ｂ）が蓋体４１を閉じた状態の薬剤手撒き装置４０の外観斜視図である。
さらに、図３は、（ａ）が予備撒きカセット３０の一部の外観斜視図、（ｂ）が予備撒きカセット３０に係る断面Ａ−Ａ矢視図、（ｃ）が予備撒きカセット３０の板状体３１に係る断面Ａ−Ａ矢視図、（ｄ）がその要部に点灯部材４７の送光を重ねた拡大図である。
【００２８】
予備撒きカセット３０は（図１（ａ）参照）、概ね長方形の板状体３１に、多数の区画室３２が形成されたものである。区画室３２は、例えば７行８列のマトリクス状に仕切られて貫通形成されており、何れも（図３（ａ）〜（ｃ）参照）、薬剤投入のため上面が解放され、薬剤の適時排出のため下面・底面にシャッタ等の開閉部材３５が付設されている。開閉部材３５は、例えば駆動部材３６の作用により全室一括で又は各列や各室毎など適宜な単位で開閉するようになっているが、開閉ロック操作部材３７がロック側に操作されると、総て閉状態に固定されるようにもなっている。また（図１（ａ），図３（ａ）〜（ｃ）参照）、総ての区画室３２には、一対一対応で、光散乱部材３３と貫通孔３４とを組み合わせた通光散乱手段３３＋３４が、隣接して又は近接して設けられている。
【００２９】
貫通孔３４は（図３参照）、上下方向に真っ直ぐ形成されているので、下方の点灯部材４７から上向き送光を受けると、その光を下方から上方へ通過させて光散乱部材３３に届けるようになっている。また、光散乱部材３３は、白濁の樹脂フィルムや乱反射の粗面フィルム等が使い易く、この例では貫通孔３４の上端開口を塞ぐように付設されていて、貫通孔３４を通過して来た光を散乱させて上方の各方向へ送るようになっている。
さらに、図示は割愛したが、予備撒きカセット３０には公知の情報担体が付設されている（特許文献１，２参照）。情報担体には、手撒き処方の識別番号を記したバーコードラベルや、手撒き処方の内容を記憶保持するデータキャリアなどが、用いられる。
【００３０】
薬剤手撒き装置４０は（図１（ｂ）参照）、予備撒きカセットを着脱可能に且つスッポリ収めて安定保持するための予備撒きカセット保持空間を持った枠体４４と、ヒンジ４３（蝶番）にて枠体４４に対し揺動可能に装着された蓋体４１とを備えたものである。
枠体４４は、予備撒きカセット保持空間の底面を画成する予備撒きカセット乗載面４６を上面とする底板状部と、予備撒きカセット保持空間の側面を四方から画成するカセット格納枠部４５とを具備していて、概ね角皿状になっている。しかも、枠体４４は、予備撒きカセット保持空間の上方が上述の蓋体４１の揺動にて開閉されるので（図１（ｂ），図２（ｂ）参照）、予備撒きカセット３０が予備撒きカセット保持空間に装着されるとそれ３０を上面解放状態で乗載保持しうるものとなっている（図２（ａ）参照）。
【００３１】
また、枠体４４の予備撒きカセット乗載面４６には多数個の点灯部材４７が設けられており（図１（ｂ）参照）、点灯部材４７には指向性の高いＬＥＤ等が採用されているが、何れの点灯部材４７も、最上端の光送出面を露出させた状態で予備撒きカセット乗載面４６に埋設されて、予備撒きカセット乗載面４６と同じ高さか僅かに下に位置していて、下から上に向けて送光することができるようになっている。点灯部材４７の個数は、区画室３２及び通光散乱手段３３＋３４の個数と同じであり、点灯部材４７の配置は、区画室３２及び通光散乱手段３３＋３４の配置に一対一で対応しているので（図１参照）、予備撒きカセット３０が薬剤手撒き装置４０に装着されると（図２（ａ）参照）、点灯部材４７の点灯時には、対応する貫通孔３４へ送光が行われて、対応する光散乱部材３３が照らされるようになっている（図３（ｄ）参照）。
【００３２】
それらの点灯部材４７は、何れも、上述したように指向性が高いため、対応する通光散乱手段３３＋３４への送光量に比べて他の通光散乱手段３３＋３４へ漏れる光量が格段に少ないので、対応する区画室３２を目視で容易に識別可能に示すものとなっている。
さらに、枠体４４のうち、予備撒きカセット３０を枠体４４に格納したとき予備撒きカセット３０の情報担体と対峙するところ例えばカセット格納枠部４５の内側面や予備撒きカセット乗載面４６の何れかの部位には、情報担体にアクセスする情報読書器が付設されている（図示せず）。情報読書器は、例えば、バーコードリーダ及び／又はバーコードライタや、データアクセス装置など、公知のもので足りる。
【００３３】
薬剤手撒き装置４０は、手撒き処方の薬品名を表示する画面表示部として、操作部材を兼ねるタッチパネル４２も備えているが、タッチパネル４２は、蓋体４１の前後両面のうち閉時に中側へ来る前面に装備されており（図１（ｂ）参照）、蓋体４１を閉じると蓋体４１と枠体４４との間に来て隠れるようになっている（図２（ｂ）参照）。しかも、タッチパネル４２の面サイズが予備撒きカセット乗載面４６よりも小さいうえ、蓋体４１の前面のほぼ中央に配置されているので、蓋体４１を閉じたときにタッチパネル４２が予備撒きカセット保持空間に面して枠体４４のどの部位とも干渉しないようにもなっている。
【００３４】
また、薬剤手撒き装置４０は、上述した点灯部材４７の駆動回路や、その点灯制御を行う制御部４８も、予備撒きカセット乗載面４６の下方など適宜な部位に内蔵している。制御部４８は、マイクロプロセッサ等を主体としたものであり、調剤機器群管理用ホストコンピュータと例えば無線または有線の通信回線を介して処方情報・調剤情報を遣り取りする等のことで処方情報処理部としても機能し、更にタッチパネル４２とも可撓性ケーブル等で接続されていて、タッチパネル４２に手撒き対象の薬品名等を表示してその薬品名に係る選択を受理するとともに点灯部材４７のうち選択薬剤の手撒き範囲に属するものを点灯させるようになっている。
【００３５】
この実施例１の薬剤手撒き装置４０について、その使用態様及び動作を、図面を引用して説明する。図４は、（ａ）が従来の組込形（組込態様）の薬剤手撒き装置２０を装備した薬剤分包機１０と本発明の携帯形（携帯容易な独立態様）の薬剤手撒き装置４０とを併設した薬剤分包システムの概要正面図であり、（ｂ）が薬剤手撒き装置４０を人手で運んでいるところの模式図である。
【００３６】
薬剤手撒き装置４０は、薬剤分包機１０に組み込まれた薬剤手撒き装置２０が自動調剤に使用されていて手撒きには使えないときなどに重宝されるものなので、ここで例示する調剤システムでは（図４（ａ）参照）、携帯形の薬剤手撒き装置４０も、組込形の薬剤手撒き装置２０と同様、ホストコンピュータ等から処方情報（調剤指示データ）を受信するようになっている。薬剤手撒き装置４０は小形・軽量で携帯に適しているが（図４参照）、薬剤の手撒きに使用するときは独立形（独立態様）と同じく机上等に単独で置かれる。もっとも、薬剤手撒き装置４０が小さな一体物になっているので、机は小さくて良い。
【００３７】
ここで、薬剤分包機１０は（例えば特許文献１，２参照）、例えば錠剤分包機や錠剤散薬混合分包機であり、その筐体の内部には、薬剤の自動排出と自動分包のため、各種の薬剤を収容していて必要に応じて逐次排出する多数の薬剤フィーダ１１と、排出されて落下した薬剤を収集する薬剤収集機構１２と、収集された薬剤を分包紙に区分封入する包装機１３と、予備撒きカセット３０から排出された薬剤を受け取って１室分ずつ薬剤収集機構１２経由で包装機１３へ送り込む作動部材１４とが、設けられている。
【００３８】
そのような薬剤分包機１０に組み込まれた薬剤手撒き装置２０は（図４（ａ）参照）、予備撒きカセット３０を着脱しうる本体部２３と、画面表示部および操作部としてのタッチパネル２１と、制御部としてのコントローラ２２とを具えたものであり、本体部２３は、薬剤分包機１０に引出レール等を介在させて装着され、薬剤分包機１０の筐体から引き出したり筐体内に押し込んで格納したりでき、押し込んだときに予備撒きカセット３０を作動部材１４の上方に位置させるようになっている（例えば特許文献１，２参照）。
【００３９】
幾つかの手撒き処方を先行処理する状況や、複数・多数の薬剤が含まれている手撒き処方を処理する状況に関し、全体的な作業の流れや基本的な動作は、公知であり（例えば特許文献１，２参照）、背景の欄において概要を既述したので、ここでは、薬剤手撒き装置４０が改良されたことで従来とは相違することになった特徴的な事項を説明する。
先ず、薬剤手撒き装置４０が、低廉化によって多数導入の容易なものとなり、更に枠体４４の薄形化とタッチパネル４２の一体化とによって携帯の容易なものにもなっている（図４（ｂ）参照）。
【００４０】
また、薬剤手撒き装置４０を使用して予備撒きカセット３０に薬剤を手撒きするときには、薬剤投入先の区画室３２に対応した点灯部材４７が制御部４８によって点灯させられるが、点灯部材４７は、予備撒きカセット３０が薬剤手撒き装置４０に装着されていると（図２（ａ）参照）、予備撒きカセット３０の下になるので（図３（ｄ）参照）、点灯部材４７を直に見るのは難しかったり或いは無理な姿勢で覗き込む等の負担を強いられるところ、点灯部材４７から送り出された光は、予備撒きカセット３０の上面で見易いところに配設された光散乱部材３３のうち対応するものによって各方面へ散乱させられることから（図３（ｄ）の二点鎖線を参照）、容易に薬剤投入先の区画室３２が視認される。
そのため、薬剤手撒き装置４０を用いることで、容易かつ的確に、薬剤を予備撒きカセット３０に手撒きすることができる。
【実施例２】
【００４１】
本発明の薬剤手撒き装置の実施例２について、その具体的な構成を、図面を引用して説明する。図５は、予備撒きカセット３０の板状体３１の要部の縦断面拡大図であり、点灯部材４７の送光を受けている状態を示している。
【００４２】
この薬剤手撒き装置が上述した実施例１の薬剤手撒き装置４０と相違するのは、実施例１では貫通孔３４と光散乱部材３３との組み合わせによって構成されていた通光散乱手段が、貫通孔３４の無い通光手段と、板状体３１の上面表層部に設けられた光散乱手段との組み合わせによって構成されるようになった点である。
なお、機能や使い方は薬剤手撒き装置４０と同様である。
【００４３】
相違点を詳述すると、通光手段は、区画室を囲む区画室囲繞部材である板状体３１に、透明な硬質プラスチックといった透明な又は半透明な材質を採用することで、具体化されている。その材質は、点灯部材４７の送光を視認利用可能なレベルで透過できることに加えて、区画室識別不能なまでは送光の指向性を乱さないことも、満たすものである。なお区画室囲繞部材は、板状体３１の素材とは別の素材で作っても良いが、同一素材で板状体３１の一部として作り込む方が、一体成型でも作れるので、作りやすい。
【００４４】
また、光散乱手段は、板状体３１の上面のうち、点灯部材４７の送光を受ける部位の中心を含み、区画室３２の上端開口を除く部分に、光散乱部材３３を薄く張ることで設けられている（図５では区画室３２以外のほぼ全面）。そして、点灯部材４７から送り出されて板状体３１を通過して来た光を受けると、それを斜め上など各方向へ散乱させるようになっている（図５の二点鎖線を参照）。このような光散乱手段は、図示のように上述の光散乱部材３３を板状体３１（区画室囲繞部材）の上面に付着させることで設けても良く、それに代えて又はそれと併用する態様で、例えば適度に粗い表面研削加工を施すといったことにより、板状体３１の上面に光散乱用加工部を形成したものであっても良い。
【００４５】
［その他］
上記実施例１では、通光用の貫通孔３４の上端部に光散乱部材３３の付設された通光散乱手段を図３等に示したが、貫通孔３４を通光手段とする光散乱手段の具体化は、それに限られる訳でなく、貫通孔３４の内面を乱反射面など光散乱性にすることでも可能である。その場合、貫通孔３４の内面のうち少なくとも上端部が光を散乱させるようになっていれば足りるが、更に、貫通孔３４の内面のうち上端部に加えて中間部や下端部までが、あるいは上端から下端まで孔内面全部が、光を散乱させるようになっていても良い。また、板状体３１の色と点灯部材４７の発光色とを異ならせる等のことで、光散乱性の必要程度を貫通孔３４の内面の仕上げを粗くしておく程度まで低減・軽減するのも良い。
【００４６】
上記実施例では、板状体３１の厚さが区画室３２の部位でも貫通孔３４等の通光部位でも一様になっているように見えるものを示したが（図３（ｄ），図５参照）、板状体３１の厚さが一定である必然性は無く、むしろ、投入薬剤を収容保持する区画室囲繞部と、それらを繋ぐ上面表層部と、全体形状を維持する剛性とが確保できれば、厚みや駄肉は少ないのが好ましいので、板状体３１の各部の厚さは不均等であって良い。
【００４７】
上記実施例では、枠体４４の予備撒きカセット保持空間に対して予備撒きカセット３０を上から出し入れするようになっていたが、例えばカセット格納枠部４５の前辺か側辺を削って低くしたり削除したりすることで、枠体４４の予備撒きカセット保持空間に対して予備撒きカセット３０を斜め上や横から出し入れできるようにしても良い。
上記実施例では、薬剤手撒き装置４０の電源について言及しなかったが、電源ケーブルを介して動作電力を受給するだけでなく、携帯性向上の利便性を享受する等のために、電池で動作するようにしても良い。
【産業上の利用可能性】
【００４８】
本発明の薬剤手撒き装置は、可搬性や携帯性の向上を当初の目的として開発されたものであるが、据え置いての使用を排除するものではなく、携帯式でも据え置き式でも使用することができる。また、小形化や原価低減の利点は、薬剤分包機への組み込みでも享受できるので、本発明の薬剤手撒き装置は、組込式で使用することもできる。
例えば、上述の実施例の変形でみると、薬剤分包機１０の薬剤手撒き装置２０を薬剤手撒き装置４０の一部改造品で置き換えることで、薬剤分包機１０のコストダウンを進めることができる。
【００４９】
具体的な改造としては、組込形の場合、予備撒きカセット３０から作動部材１４へ薬剤を移載できることが必要なので、例えば、予備撒きカセット乗載面４６のうち薬剤手撒き装置４０の装着時に区画室３２の下方に来る部分を貫通させて落下薬剤を通過させることができるようにしておくといった改造が挙げられる。また、組込形とは言っても、引出部材にネジ止め等で固定することは必須でなく、磁力や引っ掛け等といった比較的着脱容易な係合・係着手段で取り付けても良い。さらに、薄形化の利点を活かして薬剤手撒き装置４０の大部分を本体部２３のところに収めることで、タッチパネル２１やコントローラ２２の格納空間が空くので、薬剤分包機１０の小形化にも寄与することができる。
【符号の説明】
【００５０】
１０…薬剤分包機、１１…薬剤フィーダ、
１２…薬剤収集機構、１３…包装機、１４…作動部材、
２０…薬剤手撒き装置（組込形）、
２１…タッチパネル（画面表示部，操作部）、
２２…コントローラ（制御部，処方情報処理部）、２３…本体部、
３０…予備撒きカセット、
３１…板状体（区画室囲繞部材）、
３２…区画室、３３…光散乱部材、３４…貫通孔、
３５…開閉部材、３６…駆動部材、３７…開閉ロック操作部材、
４０…薬剤手撒き装置（携帯形）、
４１…蓋体、４２…タッチパネル（画面表示部，操作部）、
４３…ヒンジ（蝶番，揺動可能連結部材）、４４…枠体、
４５…カセット格納枠部（予備撒きカセット保持空間の側面画成部分）、
４６…予備撒きカセット乗載面（予備撒きカセット保持空間の底面部分）、
４７…点灯部材（ＬＥＤ）、４８…制御部（処方情報処理部）
【図１】
2018191825.tif 000003
【図２】
2018191825.tif 000004
【図３】
2018191825.tif 000005
【図４】
2018191825.tif 000006
【図５】
2018191825.tif 000007